(57)【要約】      （修正有）【課題】陸屋根の断熱効果を向上させた屋根構造を提供するものである。【解決手段】屋根構造は、建物１の上部に形成され、傾斜がほとんどなく、平らな屋根であると共に、屋根面に凹部２ａと凸部２ｂを交互に繰り返して形成される陸屋根２と、この陸屋根２に緊張して張られると共に、遮光する網状のネット３とを備えてなるものである。【選択図】図１
2008196282.tif 000002
【特許請求の範囲】
【請求項１】
建物の上部に形成され、傾斜がほとんどなく、平らな屋根であると共に、屋根面に凹部と凸部を交互に繰り返して形成される陸屋根と、
この陸屋根に緊張して張られると共に、遮光する網状のネットとを備えてなる
ことを特徴とする屋根構造。
【請求項２】
陸屋根に取り付けられた取付部材と網状のネットは紐を介して接続され、
前記陸屋根に突出して取り付けられた棒状の複数の突出物がネットの網目に挿入され、前記ネットが前記突出物に係止することを特徴とする請求項１記載の屋根構造。
【請求項３】
網状のネットは、帯状のネットを並設すると共に、隣接する前記帯状のネットは、連結されていることを特徴とする請求項１又は２記載の屋根構造。
【請求項４】
ネットは素材が中空繊維で、難燃ネットであることを特徴とする請求項１〜３のいずれかの屋根構造。
【請求項５】
建物の上部は、周囲を壁により少なくとも平面視コ字状に囲まれ、この壁内に陸屋根が位置していることを特徴とする請求項１〜４のいずれかの屋根構造。
【発明の詳細な説明】
【技術分野】
【０００１】
本発明は、屋根構造に係り、特に、屋根と天井との間に距離のない陸屋根の屋根構造の断熱効果を向上させた屋根構造に関する。
【背景技術】
【０００２】
従来、例えば、コンビニエンスストアー等の建物にあっては、傾斜がほとんどなく、平らな屋根である陸屋根が使用されている。この陸屋根は、屋根と天井との間に距離（空間）のない建物であるため、断熱効果が小さく、夏の時期、太陽光により陸屋根が熱せられ、該熱が建物に伝達し、冷房に要する熱量を増大させるという問題点があった。
この問題点の改善を図る一つの方法として、屋上を緑化させる屋上緑化装置（例えば、特許文献１参照）がある。
【特許文献１】特許第３４０６３０４号公報
【発明の開示】
【発明が解決しようとする課題】
【０００３】
しかしながら、この屋上緑化装置にあっては、緑化の管理をきめ細かく行わなければならないという問題点が生じた。
【０００４】
本発明は、上記の問題点を除去するようにした屋根構造を提供することを目的とする。
【課題を解決するための手段】
【０００５】
本発明の屋根構造は、建物の上部に形成され、傾斜がほとんどなく、平らな屋根であると共に、屋根面に凹部と凸部を交互に繰り返して形成される陸屋根と、この陸屋根に緊張して張られると共に、遮光する網状のネットとを備えてなるものである。
【０００６】
また、請求項２記載の屋根構造は、請求項１記載の屋根構造において、陸屋根に取り付けられた取付部材と網状のネットは紐を介して接続され、前記陸屋根に突出して取り付けられた棒状の複数の突出物がネットの網目に挿入され、前記ネットが前記突出物に係止するものである。
【０００７】
また、請求項３記載の屋根構造は、請求項１又は２記載の屋根構造において、網状のネットは、帯状のネットを並設すると共に、隣接する前記帯状のネットは、連結されているものである。
【０００８】
また、請求項４記載の屋根構造は、請求項１〜３のいずれかの屋根構造において、ネットは素材が中空繊維で、難燃ネットである。
【０００９】
また、請求項５記載の屋根構造は、請求項１〜４のいずれかの屋根構造において、建物の上部は、周囲を壁により少なくとも平面視コ字状に囲まれ、この壁内に陸屋根が位置しているものである。
【発明の効果】
【００１０】
請求項１記載の屋根構造によれば、建物の上部に形成され、傾斜がほとんどなく、平らな屋根であると共に、屋根面に凹部と凸部を交互に繰り返して形成される陸屋根に網状のネットを緊張して張るため、屋根と天井との間に距離（空間）のない陸屋根の建物にあって、太陽光による光を遮り建物内への熱の伝導を抑制することができ、しかも、屋根面と網状のネットの間の屋根面の凹部が風の道となり、屋根面と網状のネットの間に熱がこもることをも防止し、更に、網状のネットは傾斜がほとんどなく、平らな屋根である陸屋根に設置されるため、風の影響を受けにくく、風により網状のネットが剥がされにくい等の効果を有する。
【００１１】
また、請求項２記載の屋根構造によれば、上述した請求項１記載の発明の効果に加え
し、陸屋根に突出して取り付けられた棒状の複数の突出物がネットの網目に挿入され、前記ネットが前記突出物に係止するため、ネットの移動が突出物により規制され、陸屋根に取り付けられた取付部材と網状のネットとを接続する紐への負担が軽減され、接続状態を長く維持することができる。
【００１２】
また、請求項３記載の屋根構造によれば、上述した請求項１又は２記載の発明の効果に加え、網状のネットは、帯状のネットを並設すると共に、隣接する前記帯状のネットは連結されているため、広狭な陸屋根に柔軟に対応することができる。
【００１３】
また、請求項４記載の屋根構造によれば、上述した請求項１〜３記載の発明の効果に加え、飛び火から屋根を防ぐと共に、素材が中空繊維であるため、太陽からの熱を伝わりにくくさせ、建物内への熱の伝導を抑制することができる。
【００１４】
また、請求項５記載の屋根構造によれば、上述した請求項１〜４記載の発明の効果に加え、建物の上部は、周囲を壁により環状に囲まれ、この壁内に陸屋根が位置しているため、網状のネットは、風の影響を更に受けにくく、風により網状のネットが剥がされにくいと共に、陸屋根に網状のネットが張られても、下から見えにくく美感をも損なわれない等の効果を有する。
【発明を実施するための最良の形態】
【００１５】
本発明の屋根構造の一実施例を図面を参照して説明する。
図１において、１は、陸屋根２を有するコンビニエンスストア、店舗、一般住宅等の建物で、この建物１の上部には、傾斜がほとんどなく、平らな屋根である陸屋根２が形成されている。この陸屋根２の屋根面は、凹部２ａと凸部２ｂが交互に繰り返して形成されている。
この陸屋根２には、夏場の水平面に対する直射日光を遮蔽し、建物１内の室温の温度上昇を抑えるための遮光する網状のネット３が緊張して張られている（図２乃至図４参照）。
【００１６】
この網状のネット３の目合い（網目の大きさ）は、例えば、縦５mm〜２０mm、横１mm〜２０mm、ネット３の厚さが２mm〜２０mmで、ネット３は合成樹脂、天然樹脂等でも良いが、望ましくは、ポリエステル等の難燃ネットで、素材は中空繊維が良い。
ここで、ネット３を難燃ネットとしたのは、事故等により引火しないようにするためであり、また、ネット３の素材を中空繊維としたのは、太陽からの熱を伝わりにくくさせ、建物１内への熱の伝導を抑制するためである。
【００１７】
また、ネット３の縦の目合いが５mm未満であると、陸屋根２に突出して取り付けられた棒状の複数の突出物４（既設のピン、ボルト等）にネット３が挿入できず、既設のピン、ボルト等の突出物４を使った施工ができず、新たに棒状の複数の突出物４を設置しなければならず、施工に手間を要する。
また、横の目合いが１mm未満であると、ネット３下部の空気層の移動が良好でなく、温室効果により十分な温度上昇抑制効果が得られない。また、ネット３の目合いが２０mmを超えると、太陽光を遮ることができず、ネット３の効果が少なく、温度上昇抑制効果が得られない。
【００１８】
また、ネット２の厚さが２mm未満であると、太陽光が透けて通過し、十分な温度上昇抑制効果が得られない。また、ネット２の厚さが２０mmを超えると、ネット２自体の重さが増し、施工に手間がかかるばかりか、陸屋根２にネット２の荷重がかかり耐力的にも支障を来してしまう。
【００１９】
また、陸屋根２に取り付けられた取付部材４’[本実施例では、陸屋根２に突出すると共に、外側に位置して取り付けられた棒状の複数の突出物４’（既設のピン、ボルト等）］と網状のネット３は紐５を介して接続されている。また、陸屋根２に突出して取り付けられた棒状の複数の突出物４（既設のピン、ボルト等）がネット３の網目に挿入され  、ネット３が突出物４に係止している。
係止する結果、ネット３の移動が突出物４により規制され、陸屋根２に取り付けられた取付部材４’と網状のネット３とを接続する紐５への負担が軽減され、紐５によるネット３の接続状態を長く維持することができる。
【００２０】
また、網状のネット３は、図５乃至図７に示すように、帯状のネット３１を並設すると共に、隣接する帯状のネット３１は、例えば、紐５で連結されている。紐５は帯状のネット３１の縁部に設けられた紐５を通す紐通路部３１ａを備えている。その結果、帯状のネット３１を適宜の長さに切断して広狭な陸屋根２に柔軟に対応することができる。
【００２１】
また、建物１の上部は、周囲を壁６により平面視コ字状に囲まれ（図２参照）、この壁６内に陸屋根２が位置している。壁６内に陸屋根２が位置しているため、網状のネット３は、風の影響を更に受けにくく、風により網状のネット３が剥がされにくいと共に、陸屋根２に網状のネット３が張られても、下から見えにくく美感をも損なわれない等の効果を有する。
なお、本実施例においては、周囲を壁６により平面視コ字状に囲まれるようにしたが、本願発明にあっては、これに限らず、図示しないが、建物１の上部の周囲を壁６により平面視、環状に囲むようにしても良く、要は、建物１の上部の周囲を壁６により少なくとも平面視コ字状に囲むようにすれば良い。
【００２２】
従って、この実施例の屋根構造によれば、建物１の上部に形成され、傾斜がほとんどなく、平らな屋根であると共に、屋根面に凹部２ａと凸部２ｂを交互に繰り返して形成される陸屋根２に網状のネット３を緊張して張るため、屋根と天井との間に距離（空間）のない陸屋根２の建物１にあって、太陽光による光を遮り建物１内への熱の伝導を抑制することができ、しかも、屋根面と網状のネット３の間の屋根面の凹部２ａが風の道となり、屋根面と網状のネット３の間に熱がこもることをも防止し、更に、網状のネット３は傾斜がほとんどなく、平らな屋根である陸屋根２に設置されるため、風の影響を受けにくく、風により網状のネットが剥がされにくい等の効果を有する。
【図面の簡単な説明】
【００２３】
【図１】図１は、本発明の一実施例の屋根構造に網状のネットを設置する前の状態の概略的斜視図である。
【図２】図２は、図１の網状のネットを設置を設置した状態の屋根構造を概略的平面図である  。
【図３】図３は、図１の一部を拡大して示す概略的一部拡大平面図である。
【図４】図４は、図３の４−４の概略的断面図である。
【図５】図５は、図２の網状のネットの構成を示す概略的平面図である。
【図６】図６は、図５の網状のネットの最小の構成を示す概略的平面図である。
【図７】図７は、図６の７−７の概略的断面図である。
【符号の説明】
【００２４】
１    建物
２    陸屋根
２ａ  凹部
２ｂ  凸部
３    ネット
【図１】
2008196282.tif 000003
【図２】
2008196282.tif 000004
【図３】
2008196282.tif 000005
【図４】
2008196282.tif 000006
【図５】
2008196282.tif 000007
【図６】
2008196282.tif 000008
【図７】
2008196282.tif 000009